(57)【要約】【課題】発光部の放熱性を良好に維持して、器具のコンパクト化を図るとともに外観を改善することのできるＬＥＤ照明器具を提供する。【解決手段】発光部２３のＬＥＤ素子２４が発熱すると、発光部２３が支持された取付板２７を介して放熱部材２９に熱が伝達される。放熱部材２９は、その一部が器具本体２１の内周面２１２に露出しているので、放熱して発光部２３を冷却する。このとき、放熱部材２９は、その一部が器具本体２１の内周面２１２に露出しているので、屋外で使用されても埃等が堆積しにくい。また、放熱部材２９は外部から見えないので、外観を損なわない。さらに、器具本体２１を枠状に形成することにより、放熱面積を確保して、コンパクト化を図ることができる。【選択図】図１
2010170954.tif 000002
【特許請求の範囲】
【請求項１】
ＬＥＤ素子を有する発光部と、
前記発光部の配光を制御するレンズ部材と、
前記発光部を支持する取付板に接触する放熱部材と、
前記発光部，前記レンズ部材，前記放熱部材を保持する枠形状の器具本体と、を有し、
前記放熱部材の一部が前記器具本体の内周面に露出していることを特徴とするＬＥＤ照明器具。
【発明の詳細な説明】
【技術分野】
【０００１】
本発明は、光源としてＬＥＤを用い屋外に立設する街路灯に好適なＬＥＤ照明器具に関するものである。
【背景技術】
【０００２】
図４に示すように、従来より、ＬＥＤ照明器具（街灯）１００に散熱モジュール１０１を設けて、ＬＥＤが発する熱を迅速に散熱して冷却することが行われている（例えば特許文献１参照）。
このＬＥＤ照明器具１００は、矩形分隔板１０２を有し、矩形分隔板１０２の上方を上蓋板（図示省略）で覆うとともに下方にレンズ（図示省略）を設けている。矩形分隔板１０２と上蓋板との間には散熱モジュール１０１が収容され、矩形分隔板１０２とレンズとの間にはＬＥＤランプユニット１０３が収容されている。
【０００３】
ＬＥＤランプユニット１０３は、枠体１１１および枠体１１１内部に設置されるＬＥＤモジュール１１２を有する。
散熱モジュール１０１は、散熱体１０４、複数のサーモチューブ１０５，複数の温度均一板１０６を有する。散熱体１０４は、多数の散熱片１０７が相互に間隔をあけて積層され、各散熱片１０７を連通する連通孔１０８が設けられている。サーモチューブ１０５は全体Ｖ字形状をしており、矩形分隔板１０２の貫通孔１０９を貫通し、防水ワッシャー１１３を介して散熱体１０４の連通孔１０８に挿入される。温度均一板１０６は、枠体１１１に取付けられ、且つ、サーモチューブ１０５に接触している。
【０００４】
従って、ＬＥＤモジュール１１２、温度均一板１０６、サーモチューブ１０５、散熱体１０４の接触により、ＬＥＤモジュール１１２が発生する熱は散熱体１０４に伝達され、散熱体１０４により外部に放熱される。これにより、ＬＥＤモジュール１１２を冷却する。
【０００５】
また、放熱部材の空気と接触する表面の空気中への法熱効率を向上させることにより、ＬＥＤを冷却するものがある（例えば特許文献２参照）。
図５に示すように、照明器具に用いられる発光素子モジュール１２０は、ＬＥＤのような発光素子１２１を複数個有しており、発光素子１２１の上方には、発光素子１２１からに光を前方（下方）へ反射するリフレクタ１２２を有する。また、発光素子１２１の前方には、発光素子１２１からの直射光およびリフレクタ１２２からの反射光を配光制御するレンズ１２３を有する。
【０００６】
各発光素子１２１およびリフレクタ１２２は、発光素子１２１が発する熱を伝導する伝熱部材１２４に取付けられており、ハウジング１２６に支持されている。ハウジング１２６の前方には複数個の発光素子１２１等を覆うカバー１２５を有する。伝熱部材１２４の裏面（上面）には、多数の放熱板であるフィン１２７が上方に突出して所定間隔で設けられている。
【０００７】
従って、発光素子１２１が発する熱を、伝熱部材１２４を介してフィン１２７に伝達し、外部に露出しているフィン１２７によって放熱して発光素子１２１およびリフレクタ１２２を冷却する。
【先行技術文献】
【特許文献】
【０００８】
【特許文献１】登録実用新案第３１２６６２８号公報（第１図）
【特許文献２】特開２００７−２３４４６２号公報（第１図）
【発明の概要】
【発明が解決しようとする課題】
【０００９】
しかしながら、前述した特許文献１に記載のＬＥＤ照明器具１００においては、大掛かりな散熱モジュール１０１を用いているため、器具の大型化やコストアップを招くという問題がある。
また、特許文献２に記載の発光素子モジュール１２０では、放熱板であるフィン１２７が上方に露出しているため、フィン１２７の間に埃が溜まって放熱効率が低下するという問題がある。また、フィン１２７が外部から見えるため、見栄えが悪いという問題がある。
【００１０】
本発明は、従来の問題を解決するためになされたもので、発光部の放熱性を良好に維持して、器具のコンパクト化を図るとともに外観を改善することのできるＬＥＤ照明器具を提供することを目的とする。
【課題を解決するための手段】
【００１１】
本発明のＬＥＤ照明器具は、ＬＥＤ素子を有する発光部と、前記発光部の配光を制御するレンズ部材と、前記発光部を支持する取付板に接触する放熱部材と、前記発光部，前記レンズ部材，前記放熱部材を保持する枠形状の器具本体と、を有し、前記放熱部材の一部が前記器具本体の内周面に露出している構成を有している。
【００１２】
この構成により、発光部のＬＥＤ素子が発熱すると、発光部が支持された取付板を介して放熱部材に熱が伝達される。放熱部材は、その一部が器具本体の内周面に露出しているので、外部へ放熱して発光部を冷却する。このとき、放熱部材は器具本体の内周面に露出しているので、屋外で使用されても埃等が堆積しにくい。また、放熱部材は外部から見えないので、外観を損なわない。さらに、器具本体を枠状に形成することにより、放熱面積を確保して、コンパクト化を図ることができる。
【発明の効果】
【００１３】
本発明は、放熱部材は器具本体の内周面に露出しているので、屋外で使用されても埃等が堆積しにくい。また、放熱部材は外部から見えないので、外観を損なわない。さらに、器具本体を枠状に形成することにより、放熱面積を確保して、コンパクト化を図ることができるという効果を有するＬＥＤ照明器具を提供することができるものである。
【図面の簡単な説明】
【００１４】
【図１】本発明のＬＥＤ照明器具の実施例を示す斜視図
【図２】（Ａ）は図１中II−II位置の断面図、（Ｂ）は放熱部材の拡大断面図
【図３】実施例の変形例を示す断面図
【図４】従来のＬＥＤ照明器具の要部を示す分解斜視図
【図５】（Ａ）〜（Ｄ）は、従来のＬＥＤ照明器具に用いられる発光素子モジュールを示す断面図、端面図、斜視図、底面図
【発明を実施するための形態】
【００１５】
以下、本発明のＬＥＤ照明器具の実施形態について、図面を用いて説明する。
図１は本発明のＬＥＤ照明器具の実施形態を示す斜視図、図２（Ａ）は図１中II−II位置の断面図、図２（Ｂ）は放熱部材の拡大断面図である。
【００１６】
図１に示すように、本発明にかかるＬＥＤ照明器具１０は、例えば屋外に設置されて下方へ照明光を照射する街灯として使用することができる。
【００１７】
ＬＥＤ照明器具１０は、例えば路面等に設置される支柱１１を有し、支柱１１の上端部には灯体２０を有する。灯体２０は枠形状である例えばリング状をした器具本体２１を有し、複数のアーム２２によって支柱１１に取付けられている。
【００１８】
図２にも示すように、器具本体２１の下面には、照明光を発するための照明用開口２１１が所定の位置に複数個設けられている。照明用開口２１１に対応して器具本体２１の内部には、照明用開口２１１から照明光を発する発光部２３が設けられている。照明用開口２１１は、透明な樹脂製やガラス製のパネル２８により蓋されて、埃や水分等の侵入を防止するとともに発光部２３を保護している。
【００１９】
図２に示すように、発光部２３は、光源であるＬＥＤ素子２４と、発光部２３からの配光を制御するレンズ部材であるレンズ２５を有する。ＬＥＤ素子２４は、反射板をかねた基板２６に取付けられ、基板２６は器具本体２１内部に固定されている取付板２７に密着して取付けられる。取付板２７は良好な熱伝導性を有する金属板により、水平板２７１と縦板２７２とから全体Ｌ字形状に形成されている。取付板２７の縦板２７２の外側面には、放熱部材２９が取付けられる。
【００２０】
図２（Ｂ）に示すように、放熱部材２９は、垂直に延びるベース２９１と、このベース２９１から水平に延びる多数の放熱用のフィン２９２とを有する。ベース２９１のフィン２９２と反対側面は、取付板２７の縦板２７２に密着接触しており、フィン２９２の先端部は、器具本体２１の内周面２１２に設けられている放熱用開口２１３から器具本体２１の外部に露出している。放熱部材２９は、器具本体２１の内周面に沿って所定の長さを有する。
【００２１】
以上、説明した本発明の実施形態によれば、発光部２３のＬＥＤ素子２４が発熱すると、発光部２３が支持された取付板２７を介して放熱部材２９に熱が伝達される。放熱部材２９は、その一部であるフィン２９２が器具本体２１の内周面２１２に露出しているので、外部に放熱して発光部２３を冷却する。
【００２２】
このとき、放熱部材２９は器具本体２１の内部に設けられて器具本体２１の内周面２１２に露出しているので、放熱部材２９の上面は外部に露出しない。このため、ＬＥＤ照明器具１０が屋外で使用されても、放熱部材２９のフィン２９２の間に埃等が堆積しにくいので、放熱面積の減少を防止して、放熱効率を維持することができる。また、放熱部材２９は外部から見えないので、外観を損なわない。さらに、器具本体２１を枠状に形成することにより、放熱面積を確保して、コンパクト化を図ることができる。
【００２３】
なお、本発明のＬＥＤ照明器具１０は、前述した実施形態に限定されるものでなく、適宜な変形，改良等が可能である。
例えば、前述した実施形態において、取付板２７と放熱部材２９とを別個に設けて両者が密着接触するように取付けたが、図３に示すように、放熱部材２９に取付板２９３を一体的に設けて、ＬＥＤ素子２４が実装された基板２６を取付板２９３に取付けるようにすることもできる。
【００２４】
また、前述した実施形態においては、器具本体２１の形状を枠形状としてリング（円環）状の場合を示したが、その他、矩形等の多角形とすることもできる。
【００２５】
また、支柱１１と器具本体２１とを連結するアーム２２を水平に２本設けた場合を示したが、アームを上下方向へ傾けたり、アームの形状を直線以外の形状とすることもできる。さらに、本数を３本以上とすることもできる。
【符号の説明】
【００２６】
１０  ＬＥＤ照明器具
２１  器具本体
２１２  内周面
２３  発光部
２４  ＬＥＤ素子
２５  レンズ（レンズ部材）
２７  取付板
２９  放熱部材
【図１】
2010170954.tif 000003
【図２】
2010170954.tif 000004
【図３】
2010170954.tif 000005
【図４】
2010170954.tif 000006
【図５】
2010170954.tif 000007